(57)【要約】【課題】本発明は、コントロールボックスに電話機を取り付け、かつ携帯充電器、あるいはポータブルオーディオ接続端子を設けることにより利便性に優れたベッド用コントロールボックスを提供することを目的とするものである。【解決手段】本発明は、載置台２上に水平旋回可能に設けられるコントロールボックス１と、前記コントロールボックス１の前面に一体的に形成されるコントロールパネル３と、前記コントロールボックス１の左右いずれかに取り付けられる電話機６を備えた構成とする。【選択図】図１
2009022624.tif 000002
【特許請求の範囲】
【請求項１】
載置台上に水平旋回可能に設けられるコントロールボックスと、
前記コントロールボックスの前面に一体的に形成されるコントロールパネルと、
前記コントロールボックスに取り付けられる電話機を備える
ことを特徴とするベッド用コントロールボックス。
【請求項２】
前記電話機が前記コントロールボックスの左右端のいずれかに取り付けられる
ことを特徴とする請求項１記載のベッド用コントロールボックス。
【請求項３】
前記コントロールボックスに携帯充電器が接続収納される携帯充電器収納ボックスが取り付けられる
ことを特徴とする請求項１または２記載のベッド用コントロールボックス。
【請求項４】
前記携帯充電器が接続収納される携帯充電器収納ボックスが前記コントロールボックスの左右端のいずれかに取り付けられる
ことを特徴とする請求項３記載のベッド用コントロールボックス。
【請求項５】
前記コントロールボックスにポータブルオーディオ接続端子が接続収納されるポータブルオーディオ接続端子収納ボックスが取り付けられる
ことを特徴とする請求項１、２、３または４記載のベッド用コントロールボックス。
【請求項６】
前記ポータブルオーディオ接続端子が接続収納されるポータブルオーディオ接続端子収納ボックスが前記コントロールボックスの左右端のいずれかに取り付けられる
ことを特徴とする請求項５記載のベッド用コントロールボックス。
【請求項７】
前記コントロールパネルを垂直に対して後方へ傾ける
ことを特徴とする請求項１、２、３、４、５または６記載のベッド用コントロールボックス。
【発明の詳細な説明】
【技術分野】
【０００１】
本発明は、ベッド用コントロールボックスに関する。詳しくはベッド頭部近傍に設置され、空調機器、照明器具等の操作およびラジオや時計等が内臓されたコントールボックスに係るものである。
【背景技術】
【０００２】
ベッド用コントロールボックスは、ホテルの各ルームに設置されるベッド頭部近傍のテーブルに設置されるものであって、正面のコントロールパネルに空調機器、照明器具等を操作するためのスイッチ類や時計等が内臓されたコントロールボックスを一体的に備えるものがある。
【０００３】
このようなベッド用コントロールボックスが設置されるベッド用ナイトテーブルとして図５に示すようなものがある。このベッド用ナイトテーブルは、テーブル本体１０１の天板１０２に、円形の回転盤１０３が軸受機構を介して所定角度の範囲で水平旋回可能な状態に枢結支持されている。
【０００４】
前記回転盤１０３の上面には、この回転盤１０３と直径が同一の円柱をその軸心を通る平面で縦に切断した形状のコントロールボックス１０４が一体的かつ同心的に固定されている。このコントロールボックス１０４には寝室内照明器具や空調機器の制御装置、時計及びラジオ等が内蔵されており、前記軸心を通る切断面に相当する面は、前記制御装置の複数の操作スイッチ１０５や時計の時刻表示部及びラジオの周波数表示部１０６等が配置されたコントロールパネル１０７とから構成される（特許文献1参照。）。
【０００５】
【特許文献１】実用新案登録第３０３４１７３号公報（要約書、第1図）
【発明の開示】
【発明が解決しようとする課題】
【０００６】
このようにホテル等のベッドルームにおけるコントロールボックスの設置場所は図６（イ）で示すように、ベッド１１０の頭部の左右いずれかの近傍に配置されるテーブル１１１上に設置されることが多く、このテーブル１１１と略直角方向にソファー１１２が配置され、ベッド１１０、あるいはソファー１１２からコントロールボックスの前面に設けられるタッチ式のコントロールパネルを操作できる構成とされている。また、図６（ロ）で示すように、ベッド１１０の頭部の後方に形成される載置面の略中央にコントロールボックスが設置され、ベッドに入った状態で手を伸ばせば室内照明や空調などの操作が行える構成となっている。しかしながらベッドの左右側に座った状態でコントロールパネルからの操作を行う場合やベッド、あるいはソファーからコントロールパネルの操作を行う場合には、コントロールパネルの液晶表示部分が左右からの視野角となり数値等の表示が非常に見難くなる問題がある。
【０００７】
また、ベッドルームでの電話機の設置場所は、前記ベッドの頭部後方の載置面に置かれたコントロールボックスの左右いずれかに配置される場合が多く、コントロールボックスの両側スペースを電話機によって有効利用できない問題がある。更に、載置スペースが確保できない場合には、コントロールボックスと離れた個所に設置しなければならなく、利便性が悪くなる問題がある。
【０００８】
また、携帯電話機の普及により携帯充電器の設置の要望が高まっているが、携帯充電器では容易に持ち帰るなどによる盗難の恐れがあるために、フロントに申し出て貸し出しにて対応しているのが現状である。
【０００９】
また、最近では上着などに取り付けることができる超小型のポータブルオーディオを携帯する者が増えてきている。このポータブルオーディオは外出時にはイヤホンによって音楽等を聴くものであるが、部屋などではアンプスピカーに接続してオーディオとして楽しめるものである。このようなポータブルオーディオを接続端子を介してコントロールボックスに接続し、ルーム内に設置されたスピーカーからの音響を楽しむという試みはなされていないのが現状である。
【００１０】
本発明は、以上の点に鑑みて創案されたものであって、コントロールボックスに電話機を取り付け、かつ携帯充電器、あるいはポータブルオーディオ接続端子を設けることにより利便性に優れたベッド用コントロールボックスを提供することを目的とするものである。
【課題を解決するための手段】
【００１１】
上記の目的を達成するために、本発明に係るベッド用コントロールボックスは、載置台上に水平旋回可能に設けられるコントロールボックスと、前記コントロールボックスの前面に一体的に形成されるコントロールパネルと、前記コントロールボックスに取り付けられる電話機を備える。
【００１２】
ここで、コントロールボックスを水平旋回可能することにより、コントロールボックスをベッドとソファーの間に載置した場合の双方向での利用が可能となる。また、コントロールボックスの左右いずれかに電話機を取り付けることによって客室のベッド周辺のスペースを有効利用することが可能となる。
【００１３】
また、前記コントロールボックスの左右端のいずれかに携帯充電器が接続収納される携帯充電器収納ボックスが取り付けられることにより、各自客室内にて携帯電話機の充電を行うことができ、かつ前記コントロールボックスに電源コードが接続されているために持ち出しによる盗難を防止することが可能となる。
【００１４】
また、前記コントロールボックスの左右端のいずれかにポータブルオーディオ接続端子が接続収納されるポータブルオーディオ接続端子収納ボックスが取り付けられることにより、自身のポータブルオーディオに収録された音楽等を、コントロールボックスに接続されるポータブルオーディオ接続端子にポータブルオーディオを接続することによってコントロールボックスに内臓されるアンプなどによって増幅され、室内に設置されるスピーカーによって迫力のあるオーディオ音楽を楽しむことが可能となる。
【００１５】
更に、前記コントロールパネルを垂直に対して後方へ３０度前後傾けることによって、目線と正面に向き合うことになり液晶表示の数値がはっきりと確認することが可能となる。
【発明の効果】
【００１６】
本発明のベッド用コントロールボックスによれば、左右水平方向に旋回可能とすることにより、コントロールパネルの液晶表示部分を常に正面から捉えることができ、液晶による視認性を改善することができる。
【００１７】
また、コントロールボックスに電話機を併設することにより、客室のベッド周辺のスペースを有効利用することができる。更に、電話機を左右に付替え可能にすることによって、どんな間取りの客室でも部屋の中央側に設置することができる。
【００１８】
また、コントロールボックスに携帯充電器、あるいはポータブルオーディオ接続端子を接続することにより、携帯充電器では貸出しによらずに自由に室内での携帯電話機の充電を行うことができる。いっぽう、ポータブルオーディオ接続端子に自身のポータブルオーディオを接続することにより室内でスピーカーによる音響を楽しむことができる。
【発明を実施するための最良の形態】
【００１９】
以下、本発明の実施の形態を図面を参酌しながら説明し、本発明の理解に供する。
図１（イ）は、本発明を適用したベッド用コントロールボックスの一例を示す正面図、図１（ロ）は、左側面図、図１（ハ）は右側面図である。
【００２０】
ここで示すコントロールボックス１は、テーブル等の上面に載置される載置台２上に枢軸および軸受け機構（図示せず。）を介して所定角度の範囲で水平旋回可能な状態で連結枢支されている。
【００２１】
また、前記コントロールボックス１には寝室内照明器具や空調機器の制御装置、時計およびラジオチューナー、あるいは有線放送チューナー等（図示せず。）が内臓され、部屋内に設置された空調機器や照明器具の制御、あるいはラジオチューナー、あるいは有線放送チューナーを通して部屋内に設置されたスピーカーからの音響により音楽が楽しめ構成とされる。
【００２２】
そこで前記コントロールボックス１に内臓される寝室内照明器具や空調機器の制御装置、時計およびラジオチューナー、あるいは有線放送チューナー等の操作は、コントロールボックス１の前面に形成されるコントロールパネル３によって行われる構成とされる。
【００２３】
このコントロールパネル３は、例えば前面の左側には液晶表示部４が形成され、この液晶表示部４に空調機器により室内温度表示、時刻表示などが表示、あるいはラジオの周波数、有線放送のチャンネル等が表示される。そしてコントロールパネル３の右側にはタッチすることによりＯＮ・ＯＦＦの切り替えを行うことができる液晶のタッチ式パネルスイッチ５が形成される。
【００２４】
このようなタッチ式パネルスイッチ５では、室内における各個所の照明スイッチなどのＯＮ・ＯＦＦを手で軽く押えることによって行うことができる構成とするものである。
また、前記コントロールパネル３は垂直に対して後方へ約３０度傾けるように載置台２上に立設されることにより、タッチ式による操作が非常に扱い易くなる構成とするものである。
【００２５】
次に、図２に示すように、前記コントロールボックス１の右側端には電話機６および左側端にはポータブルオーディオ接続端子収納ボックス７と携帯充電器収納ボックス８が取り付けられた構成とするものである。
【００２６】
ここで、前記電話機６はプッシュホン９がコントロールボックス１の右側端より併設され、このプッシュホン９を覆うようにして受話器１０が取り付けられる。この受話器１０は前記コントロールパネル３と同一面、かつ該コントロールパネル３の一部を構成するようなデザインとされることにより全く違和感のない形態となる。
【００２７】
また、前記コントロールボックス１の左側端に併設されるポータブルオーディオ接続端子収納ボックス７と携帯充電器収納ボックス８は、前記電話機６と同様に前記コントロールパネル８と同一面、かつ該コントロールパネル３の一部を構成するようなデザインとされる開閉カバー１１がそれぞれ設けられる。
【００２８】
そして図３に示すように、前記ポータブルオーディオ接続端子収納ボックス７内にはポータブルオーディオ接続端子１２が収納され、このポータブルオーディオ接続端子１２を前記ポータブルオーディオ接続端子１２より引き出してポータブルオーディオ（図示せず。）に接続することにより室内に配置されるスピーカー（図示せず。）による音響を楽しむことができる。
【００２９】
また、前記携帯充電器収納ボックス８内には携帯充電器１３が収納される。この携帯充電器１３の電源コード（図示せず。）はコントロールボックス１内の電源に接続されているために、前記携帯充電器１３を携帯充電器収納ボックス８内より取り出して携帯電話と接続することにより容易に充電を行うことができる構成とされるものである。
【００３０】
なお、本実施例では電話機をコントロールボックスの右側端に取り付けた状態を詳述するものであるが、必ずしも右側端に取り付ける必要性は無く、部屋内における状況に応じてコントロールボックスの左右側端のいずれにも取り付け可能な構成とする。また前記ポータブルオーディオ接続端子収納ボックスと携帯充電器収納ボックスも同様にコントロールボックスの左右側端のいずれにも取り付け可能な構成とする
【００３１】
また、前記コントロールパネル１は、図１において詳述した形態の他に図４に示すように、その中央付近に液晶のタッチ式パネルスイッチ５を形成し、このタッチ式パネルスイッチ５に室内温度表示やラジオ・有線放送等のチャンネル表示、あるいは照明灯などのＯＮ・ＯＦＦの切り替えがタッチにより行える構成とするものであってもよい。
【００３２】
以上の構成よりなる本発明のコントロールボックスでは、コントロールボックス１がテーブル等の上面に載置される載置台２上を枢軸および軸受け機構（図示せず。）を介して所定角度の範囲で水平旋回可能な状態で連結枢支されると共に、コントロールパネル３を垂直に対して後方へ約３０度傾けることにより、例えばベッドやソファーに座った状態でコントロールボックス１より上方より操作する場合には、コントロールパネル３が後方に傾けられているために、温度数値などの液晶表示、あるいは各スイッチの内容が非常に見えやすくなる。
【００３３】
また、コントロールボックス１の左右側からの操作の場合には、該コントロールボックス１を左右方向へ旋回させることにより正面からの操作が可能となり視野角範囲を大きく取れることになる。
【００３４】
更に、コントロールボックス１の左右のいずれかに電話機６を併設することにより、コントロールボックス１の周囲スペースを有効利用することができる。また、宿泊者が電話を使用する場合にも電話機６がコントロールボックス１に併設されることにより、例えば消灯時に電話が鳴った場合でもコントロールパネル３により点灯し、素早く電話を取ることができる。
【００３５】
また、前記コントロールボックス１にポータブルオーディオ接続端子収納ボックス７と携帯充電器収納ボックス８を併設し、それぞれにボックス内に携帯充電器１３およびポータブルオーディオ接続端子１２を設置することにより、携帯充電器１３は以前のようにホテルのフロントから借り出して使用することがなく、自由に利用することができると共に、携帯充電器１３の電源コードがコントロールボックス１の電源に連結されているために携帯充電器１３のみを取外して持ち出されることがない。
【００３６】
更に、ポータブルオーディオ接続端子１２に自分の好きな曲等を収録したポータブルオーディオを接続することにより、ホテルなどの室内にてコントロールボックス１内に内臓されるアンプおよび室内に設置されるスピーカーを通して音楽を楽しむことが可能となる。
【図面の簡単な説明】
【００３７】
【図１】本発明を適用したベッド用コントロールボックスの一例を示す説明図である。
【図２】本発明を適用したベッド用コントロールボックスの電話機の取り付け状態を示す説明図である。
【図３】本発明を適用したベッド用コントロールボックスの携帯充電器およびポータブルオーディオ接続端子の取り付け状態を示す説明図である。
【図４】本発明を適用したベッド用コントロールボックスのコントロールパネルの他の例を示す説明図である。
【図５】従来のコントロールボックスの一例を示す説明図である。
【図６】コントロールボックスの設置場所の一例を示す説明図である。
【符号の説明】
【００３８】
１      コントロールボックス
２      載置台
３      コントロールパネル
４      液晶表示部
５      タッチ式パネルスイッチ
６      電話機
７      ポータブルオーディオ接続端子収納ボックス
８      携帯充電器収納ボックス
９      プッシュホン
１０    受話器
１１    開閉カバー
１２    ポータブルオーディオ接続端子
１３    携帯充電器
【図１】
2009022624.tif 000003
【図２】
2009022624.tif 000004
【図３】
2009022624.tif 000005
【図４】
2009022624.tif 000006
【図５】
2009022624.tif 000007
【図６】
2009022624.tif 000008